(57)【要約】【課題】欄干端面に設けた保護筒体と移動手摺の間に入った乗客の手指が奥側に引き込まれても手指を引き抜き易い乗客コンベヤーの移動手摺装置を得る。【解決手段】欄干３の基部端面４から突出した保護筒体７の先端部と移動手摺６の間に乗客が手指を差し込んだ場合に、手指が保護筒体７の先端部筒体１３と移動手摺６との間に挟まれて圧迫されるが、先端部筒体１３が柔軟に製作されているので容易に引き抜くことができる。また、先端部筒体１３と移動手摺６との間に挟まれた手指が保護筒体７の基部筒体１２内に引き込まれたときに、基部筒体１２が粘弾性材によって製作されているので、引き込まれた手指が移動手摺６と基部筒体１２に挟まれて引き抜き難くなることを解消する。【選択図】        図３
2004250199.tif 000002
【特許請求の範囲】
【請求項１】
主枠の幅方向の縁部に立設された欄干と、この欄干に係合されて移動し上記欄干基部の長手における端面に設けられた挿通孔に進入する移動手摺と、筒状をなし長手の一側が上記挿通孔の縁部に配置され上記移動手摺を囲んで配置されて上記長手端面から突出した粘弾性材製の基部筒体及び筒状をなし上記移動手摺を囲んで配置されて一側が上記基部筒体の他側に配置されて上記基部筒体よりも柔軟に製作された先端部筒体が一体化されてなる保護筒体とを備えた乗客コンベヤーの移動手摺装置。
【請求項２】
保護筒体を、粘弾性材によって製作された基部筒体及びこの基部筒体よりも軟質の粘弾性材によって製作された先端部筒体からなるものとしたことを特徴とする請求項１記載の乗客コンベヤーの移動手摺装置。
【請求項３】
保護筒体を、粘弾性材によって製作された基部筒体及びこの基部筒体と同じ粘弾性材によって上記基部筒体よりも薄肉に形成することによって上記基部筒体よりも柔軟に製作された先端部筒体からなるものとしたことを特徴とする請求項１記載の乗客コンベヤーの移動手摺装置。
【発明の詳細な説明】
【０００１】
【発明の属する技術分野】
この発明は、エスカレーター又は移動歩道に設けられて、欄干の外周に沿って移動し欄干の長手端部において欄干基部内に進入する乗客コンベヤーの移動手摺装置に関する。
【０００２】
【従来の技術】
従来の乗客コンベヤーの移動手摺装置は、主枠の幅方向の縁部に欄干が立設され、この欄干に係合されて移動する移動手摺が欄干基部の長手における端面に設けられた挿通孔に進入する。そして、欄干端面の挿通孔の縁部に次ぎに述べる保護筒体が設けられる。
【０００３】
すなわち、金属等の硬質材料からなり筒状に形成されて長手の一側が挿通孔の縁部に配置され移動手摺を囲んで配置された基部筒体、軟質合成ゴムによって製作されて筒状をなし移動手摺を囲んで配置されて一側が基部筒体の他側に配置された先端部筒体並びに基部筒体及び先端部筒体を連結するブラケットによって保護筒体が構成される。
【０００４】
従来の乗客コンベヤーの移動手摺装置は上記のように構成され、移動手摺が欄干端面の挿通孔に進入する箇所で、保護筒体の先端部と移動手摺の間に乗客の手指等が差し込まれた場合に、手指等が移動手摺との摩擦力によって保護筒体内に引き込まれる。このときに、手指等が保護筒体の先端部筒体と移動手摺との間に挟まれて圧迫されるが、先端部筒体が軟質合成ゴム製であるので比較的容易に引き抜くことができるように構成されている。（例えば、特許文献１参照）。
【０００５】
【特許文献１】
特開昭５２−１４１９８５号公報（第２頁、第４図）
【０００６】
【発明が解決しようとする課題】
従来の乗客コンベヤーの移動手摺装置では、基部筒体の剛性が高いため保護筒体全体の変形量が少なく例えば幼児の手指が保護筒体の先端部と移動手摺の間に差し込まれた場合に、手指が保護筒体内に引き込まれて移動手摺と基部筒体に挟まれて引き抜き難くなるという問題点があった。
【０００７】
この発明は、かかる問題点を解消するためになされたものであり、欄干の長手における端面の保護筒体と移動手摺の間に乗客の手指等が差し込まれて保護筒体の奥側まで引き込まれたときに、手指等を引き抜き易い乗客コンベヤーの移動手摺装置を得ることを目的とする。
【０００８】
【課題を解決するための手段】
この発明に係る乗客コンベヤーの移動手摺装置においては、主枠の幅方向の縁部に立設された欄干と、この欄干に係合されて移動し欄干基部の長手における端面に設けられた挿通孔に進入する移動手摺と、筒状をなし長手の一側が欄干基部の挿通孔の縁部に配置され移動手摺を囲んで配置されて欄干基部の長手端面から突出した粘弾性材製の基部筒体及び筒状をなし移動手摺を囲んで配置され一側が基部筒体の他側に配置されて基部筒体よりも柔軟に製作された先端部筒体が一体化されてなる保護筒体とが設けられる。
【０００９】
【発明の実施の形態】
実施の形態１．
図１〜図３は、この発明の実施の形態の一例を示す図で、図１は乗客コンベヤーの長手端部を示す側面図、図２は図１の要部側面図、図３は図１の欄干の長手端箇所を拡大して示す縦断面図である。図において、主枠１の長手端に乗降口２が形成され、また主枠１の幅方向の縁部に欄干３が立設されて欄干３基部の長手における端面４に挿通孔５が設けられる。
【００１０】
そして、移動手摺６が欄干３に係合されて移動し欄干３基部端面４の挿通孔５に進入する。また、欄干３基部端面４の挿通孔５に後述する保護筒体７の長手の一側が空隙を形成して嵌合されて、他側は端面４から突出して配置される。そして、欄干３基部内に端面４の挿通孔５に対向して移動体８が設けられて、移動体８の挿通孔５に対面した取付面に保護筒体７の長手端がボルトからなる締結具９によって締結される。
【００１１】
また、移動体８は圧縮コイルばねからなる付勢体１０によって端面４方向に付勢され、常時は端面４に接近した所定位置に保持される。そして、スイッチからなる異常検出器１１が設けられて作動部が移動体８に接して配置される。なお、欄干３基部端面４において移動手摺６は保護筒体７及び移動体８に空隙を形成して挿通される。
【００１２】
そして保護筒体７は、合成ゴム等の粘弾性材によって製作されて筒状をなし移動手摺６を囲んで配置され、長手の一側が挿通孔５に空隙を形成して挿通されて移動体８に締結具９によって締結された基部筒体１２と、合成ゴム等であって基部筒体１２よりも軟質の粘弾性材によって製作されて筒状をなし移動手摺６を囲んで配置され一側が基部筒体１２の他側に接着剤によって接着されて基部筒体１２と一体化された先端部筒体１３とによって製作される。
【００１３】
上記のように構成された乗客コンベヤーの移動手摺装置は、移動手摺６が欄干３基部端面４において保護筒体７及び移動体８に空隙を形成して欄干３基部に進入する。このような構成において、欄干３基部端面４から突出した保護筒体７の先端部筒体１３と移動手摺６の間に乗客の手指等が差し込まれた場合に、手指等が移動手摺６との摩擦力によって保護筒体７内に引き込まれる。このときに、移動体８に締結された保護筒体７が付勢体１０の付勢力に抗して変位する。
【００１４】
この保護筒体７の変位により移動体８も変位するので異常検出器１１が押圧されて作動する。この異常検出器１１の作動を介して図示が省略してあるが制御装置が異常時動作し乗客コンベヤーの運転が停止される。また、乗客の手指等が保護筒体７の先端部筒体１３と移動手摺６との間に挟まれて圧迫されるが、先端部筒体１３が軟質の粘弾性材によって製作されているので比較的容易に引き抜くことができる。
【００１５】
また、先端部筒体１３と移動手摺６との間に挟まれた乗客の手指等が保護筒体７の基部筒体１２内に引き込まれた場合、すなわち乗客の手指等が差し込まれて保護筒体７の奥側まで引き込まれたときであっても、基部筒体１２が合成ゴム等の粘弾性材によって製作されているので、引き込まれた手指等が移動手摺６と基部筒体１２に挟まれて引き抜き難くなることを解消することができる。
【００１６】
実施の形態２．
図４は、この発明の他の実施の形態の一例を示す図で、前述の図３相当図である。図において、前述の図１〜図３と同符号は相当部分を示し、前述の保護筒体７に相当する保護筒体１４が、合成ゴム等の粘弾性材によって製作されて筒状をなし移動手摺６を囲んで配置され、長手の一側が挿通孔５に空隙を形成して挿通されて移動体８に締結具９によって締結された基部筒体１５と、基部筒体１５と同じ粘弾性材によって基部筒体１５よりも薄肉に基部筒体１５と一体に製作されて基部筒体１５よりも柔軟性を付与され、筒状をなし移動手摺６を囲んで配置され一側が基部筒体１５の他側に接続して構成された先端部筒体１６とによって製作される。
【００１７】
上記のように構成された乗客コンベヤーの移動手摺装置においても、移動手摺６が欄干３基部端面４において粘弾性材製の保護筒体１４及び移動体８に空隙を形成して欄干３基部に進入する。そして、保護筒体１４の先端部に粘弾性材製の基部筒体１５よりも柔軟に形成された先端部筒体１６が設けられる。したがって、詳細な説明を省略するが図４の実施の形態においても図１〜図３の実施の形態と同様な作用が得られる。
【００１８】
【発明の効果】
この発明は以上説明したように、主枠の幅方向の縁部に立設された欄干と、この欄干に係合されて移動し欄干基部の長手における端面に設けられた挿通孔に進入する移動手摺と、筒状をなし長手の一側が欄干基部の挿通孔の縁部に配置され移動手摺を囲んで配置されて欄干基部の長手端面から突出した粘弾性材製の基部筒体及び筒状をなし移動手摺を囲んで配置され一側が基部筒体の他側に配置されて基部筒体よりも柔軟に製作された先端部筒体が一体化されてなる保護筒体とを設けたものである。
【００１９】
これによって、欄干の基部端面から突出した保護筒体の先端部と移動手摺の間に乗客の手指等が差し込まれた場合に、乗客の手指等が保護筒体の先端部筒体と移動手摺との間に挟まれて圧迫されるが、先端部筒体が柔軟に製作されているので比較的容易に引き抜くことができる。また、先端部筒体と移動手摺との間に挟まれた乗客の手指等が保護筒体の基部筒体内に引き込まれたときには、基部筒体が粘弾性材によって製作されているので、引き込まれた手指等が移動手摺と基部筒体に挟まれて引き抜き難くなることを解消する効果がある。
【図面の簡単な説明】
【図１】この発明の実施の形態１を示す図で、乗客コンベヤーの長手端部を示す側面図。
【図２】図１の要部側面図。
【図３】図１の欄干の長手端箇所を拡大して示す縦断面図。
【図４】この発明の実施の形態２を示す図で、前述の図３相当図。
【符号の説明】
１  主枠、３  欄干、４  端面、５  挿通孔、６  移動手摺、７  保護筒体、１２  基部筒体、１３  先端部筒体、１４  保護筒体、１５  基部筒体、１６先端部筒体。
【図１】
2004250199.tif 000003
【図２】
2004250199.tif 000004
【図３】
2004250199.tif 000005
【図４】
2004250199.tif 000006